(57)【要約】【課題】画像データを含む信号を個々に受信する複数の受信手段を有して、受信した画像データを表示する際に、種々の条件に基づい、表示に適した画像データを選択することのできる画像データ受信装置を提供する。【解決手段】放送局１から画像データを含む信号を受信し、第１の画像データを得ると共に、その受信時に検出する受信感度及び受信速度を含む第１の判定情報を生成する受信部２と、通信装置６から、無線のネットワークを介して、画像データを含む信号を受信し、第２の画像データを得ると共に、その受信時に検出する受信感度及び受信速度を含む第２の判定情報を生成する通信部と、第１の判定情報と前記第２の判定情報とに基づく判定によって、一方の画像データを選択する制御部５と、制御美５によって選択された画像データを表示する表示部４とを有する。【選択図】        図１
2004254075.tif 000002
【特許請求の範囲】
【請求項１】
画像データを含む信号を複数受信して表示する画像データ受信装置において、
１つの信号発信源から画像データを含む信号を受信し、第１の画像データを得ると共に、その受信時に検出する第１の受信感度及び第１の受信速度を含む第１の判定情報を生成する第１の画像信号受信手段と、
他の信号発信源から、無線のネットワークを介して、少なくとも画像データを含む信号を受信し、第２の画像データを得ると共に、その受信時に検出する第２の受信感度及び第２の受信速度を含む第２の判定情報を生成する第２の画像信号受信手段と、
少なくとも、前記第１の判定情報と前記第２の判定情報とに基づく判定によって、前記第１の画像データ又は第２の画像データの一方の画像データを選択する制御手段と、
該制御手段によって選択された画像データを表示する表示手段と
を有することを特徴とする画像データ受信装置。
【請求項２】
前記制御手段は、前記判定を繰り返し実行し、該判定に基づいて、必要に応じて前記画像データの選択を変更することを特徴とする請求項１記載の画像データ受信装置。
【請求項３】
更に、前記第１及び第２の画像信号受信手段は、各々受信する画像データの受け取りに要する第１及び第２の受信費用を調べ、前記第１の判定情報が該第１の受信費用を含み、且つ前記第２の判定情報が該第２の受信費用を含むことを特徴とする請求項１記載の画像データ受信装置。
【請求項４】
前記制御手段は、前記第１の判定情報と前記第２の判定情報に加え、ユーザー操作に基づいて形成されるユーザー操作情報に基づいて前記判定を行なうことを特徴とする請求項１記載の画像データ受信装置。
【請求項５】
前記第２の画像信号受信装置は、少なくとも２つ以上の異なる前記信号送信相手から信号を受信することを特徴とする請求項１記載の画像データ受信装置。
【請求項６】
画像データを含む信号を複数受信して表示する画像データ受信方法において、
１つの信号発信源から画像データを含む信号を受信し、第１の画像データの受信時における第１の受信感度を検出し、且つ他の信号発信源から、無線のネットワークを介して、少なくとも画像データを含む信号を受信して第２の画像データの受信時における第２の受信感度を検出する第１のステップと、
前記第１受信感度に基づいて第１の受信速度を検出し、且つ前記第２受信感度に基づいて第２の受信速度を検出する第２ステップと、
前記第１の受信感度及び前記第１の受信速度を含む第１の判定情報と前記第２の受信感度及び前記第２の受信速度を含む第２の判定情報とに基づいて、前記第１の画像データと前記第２の画像データの内、一方を選択して表示するための判定を行なう第３ステップと、
前記判定に基づいて前記選択を実行する第４ステップと
を有することを特徴とする画像データ受信方法。
【請求項７】
前記第３ステップでは、
ＴＬ（０≦ＴＬ）：第１の受信感度
ＬＯＷＴＬ：第１の受信感度の許容下限感度
ＴＳ（ビット毎秒、ＴＳ≧０）：第１受信速度
ＣＬ（０≦ＣＬ）：第２受信感度
ＬＯＷＣＬ：第２受信感度の許容下限感度
ＣＳ（ビット毎秒、ＣＳ≧０）：第２受信速度
とし、ＴＬ＞ＬＯＷＴＬ、且つＣＬ＞ＬＯＷＣＬ  の場合、
関数Ｆを次式
Ｆ＝（ＴＬ−  ＬＯＷＴＬ）×ＴＳ−（ＣＬ−  ＬＯＷＣＬ）×ＣＳ
で求め、
前記第４ステップでは、Ｆ≧０のとき、第１の画像データを選択し、Ｆ＜０のとき、第２の画像データを選択することを特徴とする請求項６記載の画像データ受信方法。
【請求項８】
更に、前記第１の画像データの受け取りに要する第１の受信費用と、前記第２の画像データの受け取りに要する第２の受信費用とを調べる第５ステップを有し、前記第１の判定情報が前記第１の受信費用を含み、且つ前記第２の判定情報が前記第２の受信費用を含むことを特徴とする請求項６記載の画像データ受信方法。
【請求項９】
更に、ユーザー操作に基づいて形成されるユーザー操作情報を調べる第６ステップを有し、前記第３ステップにおいて、前記第１の判定情報と前記第２の判定情報に加え、前記ユーザー操作情報に基づいて前記判定を実行することを特徴とする請求項６記載の画像データ受信方法。
【発明の詳細な説明】
【０００１】
【発明の属する技術分野】
本発明は、画像データ受信装置に関し、特に複数の受信経路から１つの受信経路を選択して得た画像データを表示する画像データ受信装置及びその方法に関する。
【０００２】
【従来の技術】
従来の画像データ受信装置は、受信手段を設け、放送局から送信される画像データを受信して表示手段によって表示するものであって、地上放送や衛星放送のテレビジョンなどの例がある。また、選局装置で、受信して選局したテレビ放送信号を復調し、或いは電話線を通じて受信した信号を復調し、これを送受信アンテナを通じて表示装置に向けて無線送信するものがあった（例えば、特許文献１参照）。
【０００３】
【特許文献１】
特開２００１―３５８９６６号公報（第５頁、図１）
【０００４】
【発明が解決しようとする課題】
以上のように、従来の画像データ受信装置では、受信手段で画像データの受け取る場合、電波の受信感度が悪い場合は良好な画像データを受信することができなかった。また表示装置側の通信手段で、サーバーとしての選局装置から送受信アンテナを通じて画像データを受け取る場合は、通信手段の通信の相手となる画像データを配信するサーバーからの距離が大きくなると、良好な画像データを受信することができなかった。
【０００５】
本発明の目的は、以上の問題点を解消し、受信感度の低下等による画像不良によって、視聴者が感じる不快感を取り除くことにある。
【０００６】
【課題を解決するための手段】
本発明による画像データ受信装置は、画像データを含む信号を複数受信して表示する画像データ受信装置であって、
１つの信号発信源から画像データを含む信号を受信し、第１の画像データを得ると共に、その受信時に検出する第１の受信感度及び第１の受信速度を含む第１の判定情報を生成する第１の画像信号受信手段と、他の信号発信源から、無線のネットワークを介して、少なくとも画像データを含む信号を受信し、第２の画像データを得ると共に、その受信時に検出する第２の受信感度及び第２の受信速度を含む第２の判定情報を生成する第２の画像信号受信手段と、少なくとも、前記第１の判定情報と前記第２の判定情報とに基づく判定によって、前記第１の画像データ又は第２の画像データの一方の画像データを選択する制御手段と、該制御手段によって選択された画像データを表示する表示手段と
を有することを特徴とする。
【０００７】
また、別発明の画像データ受信方法は、画像データを含む信号を複数受信して表示する画像データ受信方法であって、
１つの信号発信源から画像データを含む信号を受信し、第１の画像データの受信時における第１の受信感度を検出し、且つ他の信号発信源から、無線のネットワークを介して、少なくとも画像データを含む信号を受信して第２の画像データの受信時における第２の受信感度を検出する第１のステップと、前記第１受信感度に基づいて第１の受信速度を検出し、且つ前記第２受信感度に基づいて第２の受信速度を検出する第２ステップと、前記第１の受信感度及び前記第１の受信速度を含む第１の判定情報と前記第２の受信感度及び前記第２の受信速度を含む第２の判定情報とに基づいて、前記第１の画像データと前記第２の画像データの内、一方を選択して表示するための判定を行なう第３ステップと、前記判定に基づいて前記選択を実行する第４ステップと
を有することを特徴とする。
【０００８】
【発明の実施の形態】
実施の形態１．
図１は、本発明による実施の形態１の画像データ受信装置の構成を示すブロック図である。先ず、この画像データ受信装置１の構成、及び画像データ受信装置１と放送局１、通信装置６の関係について説明する。
【０００９】
同図中、画像データ受信装置１を構成する受信部２は、信号発信源である放送局７から送信される第１画像データを含む放送信号を受信し、この放送信号に含まれる第１画像データＰＩＤ１を復調すると共に、後述するようにこの受信時の受信感度ＴＬ及び受信速度ＴＳを検出し、これらの各データを制御部５に出力する。同じく画像データ受信装置１を構成する通信部３は、無線のネットワークを用いて、信号発信源である通信装置６から送信される第２画像データＰＩＤ２を含む無線信号を受信し、この無線信号に含まれる第２画像データＰＩＤ２を復調すると共に、後述するようにこの受信時の受信感度ＣＬ及び受信速度ＣＳを検出し、これらの各データを制御部５に出力する。
【００１０】
制御部５は、受信部２及び通信部３から入力する画像データのうち、後述する判定結果に基づいて一方の画像データを選択し、これを表示すべく所定の信号処理を施した後、表示部４に出力する。
【００１１】
尚、受信部２が第１の画像信号受信手段に、受信部３が第２の画像信号受信手段に、制御部５が制御手段に、そして表示部５が表示手段にそれぞれ相当する。また、受信感度ＴＬ及び受信速度ＴＳがそれぞれ第１の受信感度及び第１の受信速度に相当し、受信感度ＣＬ及び受信速度ＣＳがそれぞれ第２の受信感度及び第２の受信速度に相当する。
【００１２】
図２は、画像データ受信装置１の動作を説明するためのフローチャートであり、同フローチャートを参照しながら、画像データ受信装置１の構成及び動作につて以下に説明する。
【００１３】
画像データ受信装置１における画像データに関する処理が開始されると（ステップ（以下Ｓと称す）１１）、受信部２では放送局７から受信した放送信号から第１画像データＰＩＤ１を生成すると共にそのときの受信感度ＴＬを調べ、また通信部３では通信装置６から受信した無線信号から第２画像データＰＩＤ２を生成すると共にそのときの受信感度ＳＬを調べる（Ｓ１２）。一般に、受信感度が高ければ受信信号中の雑音に紛らわされることなく受信信号の解析を行なうことができるため、安定した画像データを生成することができる。
【００１４】
更に受信部２では、調べた受信感度ＴＬをもとに、第１画像データＰＩＤ１を受け取る受信速度ＴＳを調べ、同じく通信部３では、調べた受信感度ＣＬをもとに、第２画像データＰＩＤ２を受け取る受信速度ＣＳを調べる（Ｓ１３）。一般に、受信経路の帯域が大きくてデータの受信速度が大きければ、一定時間に受け取るデータの量が大きくなり、より詳細なデータを期待することができる。例えば、受信するデータの種類が画像データの場合には、より品質のよい画像表示を期待することができる。
【００１５】
制御部５では、得られた受信感度ＴＬ，ＣＬ、及び受信速度ＴＳ，ＣＳをもとにして、どちらの部で出力した画像データを選択するかを判定し（Ｓ１４）、そして判定結果に基づいて選択する（Ｓ１５）。
【００１６】
図３は、制御部５による上記判定及び選択のステップ１４及びステップ１５での処理手順を、より詳細に示すフローチャートである。尚、ここでのステップ１４−１乃至１４−５は、図２のステップ１３に相当する。
【００１７】
ここで、同図フローチャートに示される判定式中の変数及び定数を以下のように定義する。
ＴＬ（０≦ＴＬ≦１００）：受信部２での受信感度
ＬＯＷＴＬ：受信部２での許容下限感度
ＴＳ（ビット毎秒、ＴＳ≧０）：受信部２での受信速度
ＣＬ（０≦ＣＬ≦１００）：通信部３での受信感度
ＬＯＷＣＬ：通信部３での許容下限感度
ＣＳ（ビット毎秒、ＣＳ≧０）：通信部３での受信速度
上記中、許容下限感度ＬＯＷＴＬ，ＬＯＷＣＬは、これ以上感度が低い場合は受信信号が雑音成分に紛らわされて有効な信号を抽出できなくなる限界を表す数値であり、受信速度ＴＳ，ＣＳの単位は、１秒に受信するデータのビット量とする。
【００１８】
制御部５は、先ず  ＴＬ＞ＬＯＷＴＬ、且つＣＬ＞ＬＯＷＣＬ  であるか否かを判断し（Ｓ１４−１）、受信部２および通信部３における受信感度がいずれも有効な受信感度である場合は、例えば下式によって関数Ｆを求める（Ｓ１４−２）。
Ｆ（ＴＬ，ＴＳ，ＣＬ，ＣＳ）＝（ＴＬ−  ＬＯＷＴＬ）×ＴＳ−（ＣＬ−  ＬＯＷＣＬ）×ＣＳ  …（１）
次に、  ＣＬ≦ＬＯＷＣＬ  を満たすか否かを判断し（Ｓ１４−３）、これを満たす場合、関数Ｆを
Ｆ（ＴＬ，ＴＳ，ＣＬ，ＣＳ）＝１      …（２）
とし（Ｓ１４−４）、それ以外の場合、即ち  ＴＬ≦ＬＯＷＴＬ、且つＣＬ＞ＬＯＷＣＬ  の場合、関数Ｆを
Ｆ（ＴＬ，ＴＳ，ＣＬ，ＣＳ）＝−１      …（３）
とする（Ｓ１４−５）。
【００１９】
そして、Ｆ≧０のとき、受信部２から第１画像データＰＩＤ１を受け取り、Ｆ＜０のとき、通信部３から第２画像データＰＩＤ２を受け取る（Ｓ１５）。
【００２０】
関数Ｆを、各条件に応じて上式（１），（２），（３）のように表したので、受信部２における受信感度ＴＬが高く、また受信速度ＴＳが大きければ、受信部２を選択する可能性が大きくなる。逆に通信部３における受信感度ＣＬが高く、また受信速度ＣＳが大きければ、通信部３を選択する可能性が大きくなる。またどちらの手段からも画像データの受け取りが可能な場合においても、関数Ｆの値を計算し、その値を判断すれば、どちらの部から画像データを受け取るのが最適かを簡易に判断することができる。
【００２１】
上記したように制御部５は、図２のステップ１５において、前工程のステップ１４での判定に基づいて画像データを選択し、選択した画像データを表示部４に送る。表示部４は制御部５で選択した画像データを受け取り、その画像データを表示する。
【００２２】
以上のように、実施の形態１の画像データ受信装置１によれば、受信部２及び通信部３において生成した画像データのうち、より良好な状態で表示するのに適した方の画像データを自動的に選択するよう構成しているので、より品質が高く且つ安定した状態で画像表示を行うことが可能になる。
【００２３】
実施の形態２．
図４は、本発明による実施の形態２の画像データ受信装置の動作例を示すフローチャートである。
【００２４】
本実施の形態のフローチャートを実行する画像データ受信装置としては、前記した図１の画像データ受信装置１と全く同構成のもので説明できるので、図１の画像データ受信装置１でこのフローを実行するものとし、以下この画像データ受信装置１を参照しながら図４のフローチャートの動作を説明する。
尚、前記した実施の形態１で説明した図２に示すフローチャートと同じ処理を実行するステップには、同じステップ番号を付している。
【００２５】
本実施の形態では、受信部２及び通信部３から入力する画像データの選択を、継続的に繰り返し実行するように動作する。即ち、図４のフローチャートにおいて、画像データに関する処理が開始されると（Ｓ１１）、先ず受信部２と通信部３のどちらで生成した画像データを受け取るかを初期設定し、例えば受信部２から受けるように設定する（Ｓ２１）。
【００２６】
以下ステップ１２〜ステップ１４までは、前記した実施の形態１で説明した同ステップと全く同じ処理を実行する。このため、ここでのこれ等の各ステップでの処理説明は省略する。
【００２７】
その後、ステップ１４で判定した結果に対して、現在表示している画像データの選択が異なっているか否かを判断する（Ｓ２２）。即ち、前記したようにステップ１４で導いた関数Ｆが、Ｆ≧０場合には、受信部２の画像データが選択されるのが好ましく、Ｆ＜０の場合には、通信部３の画像データが選択されるのが好ましいが、現在選択中の画像データがこれと異なっているか否かを判定する。
【００２８】
異なっている場合、画像データの選択を切り換え（Ｓ２３）、合っている場合には現状を維持する。そして、選択作業の中止が指令されるまで（Ｓ２４）、上記したステップ１２〜ステップ２３までの一連の選択作業が繰り返される。
【００２９】
以上のように、実施の形態２の動作によれば、画像データの選択判定及び選択作業を繰り返し行うようにしているので、受信中の受信感度等が変化し、表示に最適な画像データが変わった場合でも、これに対応して、常により良好な画像表示を継続することが可能となる。
【００３０】
実施の形態３．
図５は、本発明による実施の形態３の画像データ受信装置の動作例を示すフローチャートである。
【００３１】
本実施の形態のフローチャートを実行する画像データ受信装置としては、前記した図１の画像データ受信装置１と全く同構成のもので説明できるので、図１の画像データ受信装置１でこのフローを実行するものとし、以下この画像データ受信装置１を参照しながら図５のフローチャートの動作を説明する。
尚、前記した実施の形態１で説明した図２に示すフローチャートと同じ処理を実行するステップには、同じステップ番号を付している。
【００３２】
本実施の形態では、受信部２及び通信部３から入力する画像データの選択のための判定情報として、前記した受信感度、受信速度の外に、画像データを受け取る際の受信費用を新たに加え、選択判定を行っている。
【００３３】
図５のフローチャートにおいて、画像データに関する処理が開始されると（Ｓ１１）、前記した実施の形態１の場合と同様に、受信部２では放送局７から受信した放送信号から第１画像データＰＩＤ１を生成すると共にそのときの受信感度ＴＬを調べ、また通信部３では通信装置６から受信した無線信号から第２画像データＰＩＤ２を生成すると共にそのときの受信感度ＳＬを調べる（Ｓ１２）。更に受信部２では、調べた受信感度ＴＬをもとに、第１画像データＰＩＤ１を受け取る受信速度ＴＳを調べ、同じく通信部３では、調べた受信感度ＣＬをもとに、第２画像データＰＩＤ２を受け取る受信速度ＣＳを調べる（Ｓ１３）。
【００３４】
その後、受信部２では、第１画像データＰＩＤ１を受け取る際の受信費用を調べる。例えば第１画像データＰＩＤ１の受信に際しては、テレビジョン放送の民間放送局からの地上放送の場合は一般に無料で受信することができるが、衛星放送では画像データを受信するにあたって一定期間ごとに固定料金が必要なものや、受信を行うデータごとに費用が発生するものなどがある。一定期間ごとに固定料金が必要な場合には、画像データを受け取る時間の、固定料金を支払うための一定期間に対する割合を計算し、その割合に応じて受信費用ＴＣを算出する（Ｓ３１）。
【００３５】
同様に通信部３においても第２画像データＰＩＤ２を受信するのに必要な受信費用ＣＣを計算する。通信部３を用いてこの第２画像データＰＩＤ２を受け取るには、その手段が携帯電話やＰＨＳ（Ｐｅｒｓｏｎａｌ  Ｈａｎｄｙｐｈｏｎｅ  Ｓｙｓｔｅｍ）の場合には、一般に通信を行った時間ごとに従量制の料金が必要となる。また、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｂなどを用いた無線ＬＡＮシステムを利用するには、一定期間ごとに固定料金が必要な場合や、無料で利用できる場合がある。
【００３６】
制御部５では、得られた受信感度ＴＬ，ＣＬ、受信速度ＴＳ，ＣＳ、及び受信費用ＴＣ，ＣＣをもとにして、どちらの部で出力した画像データを選択するかを判定し（Ｓ３２）、そしてその判定結果に基づいてこれを選択する（Ｓ１５）。
【００３７】
図６は、制御部５による上記判定及び選択のステップ３２及びステップ１５での処理手順を、より詳細に示すフローチャートである。尚、ここでのステップ３２−１乃至３２−５は、図５のステップ３２に相当する。
【００３８】
ここで、同図フローチャートに示される判定式中の変数及び定数を以下のように定義する。
ＴＬ（０≦ＴＬ≦１００）：受信部２での受信感度
ＬＯＷＴＬ：受信部２での許容下限感度
ＴＳ（ビット毎秒、ＴＳ≧０）：受信部２での受信速度
ＴＣ（円毎ビット）：受信部２での受信費用
Ｋｔｃ（Ｋｔｃ＞０）：ＴＣの寄与率
ＣＬ（０≦ＣＬ≦１００）：通信部３での受信感度
ＬＯＷＣＬ：通信部３での許容下限感度
ＣＳ（ビット毎秒、ＣＳ≧０）：通信部３での受信速度
ＣＣ（円毎ビット）：通信部３での受信費用
Ｋｃｃ（Ｋｃｃ＞０）：ＣＣの寄与率
上記中、許容下限感度ＬＯＷＴＬ，ＬＯＷＣＬは、これ以上感度が低い場合は受信信号が雑音成分に紛らわされて有効な信号を抽出できなくなる限界を表す数値であり、受信速度ＴＳ，ＣＳの単位は、１秒に受信するデータのビット量であり、受信費用ＴＣ，ＣＣの単位は、１ビットの情報を受信するのにかかる料金とする。
【００３９】
制御部５は、先ず  ＴＬ＞ＬＯＷＴＬ、且つＣＬ＞ＬＯＷＣＬ  であるか否かを判断し（Ｓ３２−１）、受信部２および通信部３における受信感度がいずれも有効な受信感度である場合は、例えば下式によって関数Ｆを求める（Ｓ３２−２）。
2004254075.tif 000003
次に、  ＣＬ≦ＬＯＷＣＬ  を満たすか否かを判断し（Ｓ３２−３）、これを満たす場合、関数Ｆを
Ｆ（ＴＬ，ＴＳ，ＣＬ，ＣＳ）＝１      …（５）
とし（Ｓ３２−４）、それ以外の場合、即ち  ＴＬ≦ＬＯＷＴＬ、且つＣＬ＞ＬＯＷＣＬ  の場合、関数Ｆを
Ｆ（ＴＬ，ＴＳ，ＣＬ，ＣＳ）＝−１      …（６）
とする（Ｓ３２−５）。
【００４０】
そして、Ｆ≧０のとき、受信部２から第１画像データＰＩＤ１を受け取り、Ｆ＜０のとき、通信部３から第２画像データＰＩＤ２を受け取る（Ｓ１５）。
【００４１】
関数Ｆを、各条件に応じて上式（４），（５），（６）のように表したので、前記した実施の形態１の場合の特徴に加え、受信部２における受信費用が高くなれば受信部２を選択する可能性が小さく、通信部３における受信費用が高くなれば通信部３を選択する可能性が小さくなる。また、画像データの品質を重視する場合には、式（４）の関数Ｆにおける各費用の寄与率ＫＴ、ＫＣの値を小さく設定し、逆に画像データの受け取りに必要な費用を少なくしたい場合には、寄与率ＫＴ、ＫＣの値を大きく設定すればよい。
【００４２】
上記したように制御部５は、図５のステップ１５において、前工程のステップ３２での判定に基づいて画像データを選択し、選択した画像データを表示部４に送る。表示部４は制御部５で選択した画像データを受け取り、その画像データを表示する。
【００４３】
以上のように、実施の形態３の動作によれば、画像データの品質がより高く受信が安定した画像データを表示できるとともに、画像データの受け取りに要する費用がより安価な画像データを選択することも可能となる。
【００４４】
実施の形態４．
図７は、本発明による実施の形態４の画像データ受信装置の動作例を示すフローチャートである。
【００４５】
本実施の形態のフローチャートを実行する画像データ受信装置としては、前記した図１の画像データ受信装置１と全く同構成のもので説明できるので、図１の画像データ受信装置１でこのフローを実行するものとし、以下この画像データ受信装置１を参照しながら図７のフローチャートの動作を説明する。
尚、前記した実施の形態１で説明した図２に示すフローチャートと同じ処理を実行するステップには、同じステップ番号を付している。
【００４６】
本実施の形態では、受信部２及び通信部３から入力する画像データの選択のための判定情報として、前記受信感度、受信速度の外に、画像データ受信装置のユーザーがどちらの画像データを受け取りたいか、という操作の結果を新たに加え、選択判定を行っている。
【００４７】
図７のフローチャートにおいて、画像データに関する処理が開始されると（Ｓ１１）、前記した実施の形態１の場合と同様に、受信部２では放送局７から受信した放送信号から第１画像データＰＩＤ１を生成すると共にそのときの受信感度ＴＬを調べ、また通信部３では通信装置６から受信した無線信号から第２画像データＰＩＤ２を生成すると共にそのときの受信感度ＳＬを調べる（Ｓ１２）。更に受信部２では、調べた受信感度ＴＬをもとに、第１画像データＰＩＤ１を受け取る受信速度ＴＳを調べ、同じく通信部３では、調べた受信感度ＣＬをもとに、第２画像データＰＩＤ２を受け取る受信速度ＣＳを調べる（Ｓ１３）。
【００４８】
その後、画像データ受信装置のユーザーが、どちらの画像データの選択を優先したいか、という優先度の情報を取得する。ユーザーの操作を認識するために、例えば画像データ受信装置１に図示しないスイッチを設けてこれを操作してもよいし、また、メニューなどからソフトウェアを操作して設定を行ってもよい。本実施の形態では、ユーザーが優先度の操作を行って、どちらの画像データの選択を優先したいかという、後述するユーザー操作情報Ｕを可変量で入力できるものとし、これをチェックする（Ｓ４１）。
【００４９】
制御部５では、得られた受信感度ＴＬ，ＣＬ、受信速度ＴＳ，ＣＳ、及びユーザー操作情報Ｕをもとにして、どちらの部で出力した画像データを選択するかを判定し（Ｓ４２）、そしてその判定結果に基づいてこれを選択する（Ｓ１５）。
【００５０】
図８は、制御部５による上記判定及び選択のステップ４２及びステップ１５での処理手順を、より詳細に示すフローチャートである。尚、ここでのステップ４２−１乃至４２−５は、図５のステップ４２に相当する。
【００５１】
ここで、同図フローチャートに示される判定式中の変数及び定数を以下のように定義する。
ＴＬ（０≦ＴＬ≦１００）：受信部２での受信感度
ＬＯＷＴＬ：受信部２での許容下限感度
ＴＳ（ビット毎秒、ＴＳ≧０）：受信部２での受信速度
ＣＬ（０≦ＣＬ≦１００）：通信部３での受信感度
ＬＯＷＣＬ：通信部３での許容下限感度
ＣＳ（ビット毎秒、ＣＳ≧０）：通信部３での受信速度
Ｕ（−１≦Ｕ≦１）：ユーザー操作情報
上記中、許容下限感度ＬＯＷＴＬ，ＬＯＷＣＬは、これ以上感度が低い場合は受信信号が雑音成分に紛らわされて有効な信号を抽出できなくなる限界を表す数値であり、受信速度ＴＳ，ＣＳの単位は、１秒に受信するデータのビット量である。そしてユーザー操作情報Ｕは、−１から＋１の間の値に正規化し、＋１の場合は受信部２を、−１の場合は通信部３を１００パーセントの割合で選択したものとする。−１から＋１の間の数値をとる場合には、どちらの画像データを用いるかの優先度を可変的に選択したものとする。
【００５２】
制御部５は、先ず  ＴＬ＞ＬＯＷＴＬ、且つＣＬ＞ＬＯＷＣＬ  であるか否かを判断し（Ｓ４２−１）、受信部２および通信部３における受信感度がいずれも有効な受信感度である場合は、例えば下式によって関数Ｆを求める（Ｓ４２−２）。
2004254075.tif 000004
次に、  ＣＬ≦ＬＯＷＣＬ  を満たすか否かを判断し（Ｓ４２−３）、これを満たす場合、関数Ｆを
Ｆ（ＴＬ，ＴＳ，ＣＬ，ＣＳ）＝１      …（８）
とし（Ｓ４２−４）、それ以外の場合、即ち  ＴＬ≦ＬＯＷＴＬ、且つＣＬ＞ＬＯＷＣＬ  の場合、関数Ｆを
Ｆ（ＴＬ，ＴＳ，ＣＬ，ＣＳ）＝−１      …（９）
とする（Ｓ４２−５）。
【００５３】
そして、Ｆ≧０のとき、受信部２から第１画像データＰＩＤ１を受け取り、Ｆ＜０のとき、通信部３から第２画像データＰＩＤ２を受け取る（Ｓ１５）。
【００５４】
関数Ｆを、各条件に応じて上式（７），（８），（９）のように表したので、前記した実施の形態１の場合の特徴に加え、ユーザーがどちらの画像データを受け取りたいか、という意図を反映させることができる。各部の受信感度が有効な場合には、Ｕの値が＋１の場合には受信部２の画像データが必ず選択され、逆にＵの値が−１の場合には通信部３の画像データが必ず選択される。また、Ｕの値が−１と＋１の間の場合は、その割合が受信感度や受信速度に加えて選択判定に反映される。
【００５５】
以上のように、本実施の形態４の動作によれば、受信部２及び通信部３において生成する画像データのうち、より表示に適した方の画像データを自動的に選択する設定を前提にして、ユーザーの選択希望を優先的に、或いはその程度に応じてこれに反映させることができる。
【００５６】
実施の形態５．
図９は、本発明による画像データ受信装置を用いた実施の形態５の画像データ通信システムの構成を示すブロック図である。
【００５７】
本実施の形態５における画像データ通信システムは、通信部５３の通信相手である送信装置を、送信装置Ａ５１と送信装置Ｂ５２の複数設けた場合を想定している。このうち、画像データ受信装置自体は、通信部５３を除いて、前記した実施の形態１の画像データ受信装置１と構成的に同一であるため、共通部には同符号を付してその詳細な説明を省略し、送信装置を複数設けたことによる前記実施の形態１の動作と異なる特徴的な動作を重点的に以下に説明する。
【００５８】
図９に示すように、画像データ受信装置１の通信部５３は、この場合、無線のネットワークを介して、通信装置Ａ５１と通信装置Ｂ５２の２つの相手と通信可能に構成されている。
【００５９】
このように、通信部５３は、複数の通信装置と通信が可能なため、例えば、実施の形態１の通信部３が行う受信感度ＣＬおよび受信速度ＣＶの調査を、複数の通信装置について個別に行い、このうちもっとも表示に適した画像データを送信する通信装置との通信を選ぶように構成する。これによってより品質が高く安定した画像データを選択することが可能になる。
【００６０】
従って、図９に示す通信装置Ａ５１と通信装置Ｂ５２が離れて設置されているような場合、画像データ通信装置１との相対位置によって、より最適な通信装置を選択することになり、特に画像データ通信装置１が空間的に移動を行う場合には、その状況に応じてより最適な通信装置を選択できる。
【００６１】
以上のように、実施の形態５の画像データ通信システムによれば、複数の通信装置が互いに離間して設置された各エリアを、画像データ通信装置が移動して行くような場合に、常に最良の通信が行なわれる通信装置を選択しながら、移動することが可能となる。
【００６２】
【発明の効果】
本発明によれば、複数の受信信号から第１と第２の画像データを受け取り可能とし、更にどちらの画像データを受け取るのが適しているか判断するようにしているため、少なくともどちらか一方の画像データの受け取りが可能であれば画像データを受け取り表示することができると共に、同時に複数の送信相手から画像データの受け取りが可能であれば、受け取りが可能な画像データのうち、より品質のよい画像データを安定して受け取ることができるため、より高品質の画像データの表示を行うことが可能になる。
【図面の簡単な説明】
【図１】本発明による実施の形態１の画像データ受信装置１の構成を示すブロック図である。
【図２】画像データ受信装置１の動作を説明するためのフローチャートである。
【図３】制御部５による上記判定及び選択のステップ１４及びステップ１５での処理手順を、より詳細に示すフローチャートである。
【図４】本発明による実施の形態２の画像データ受信装置の動作例を示すフローチャートである。
【図５】本発明による実施の形態３の画像データ受信装置の動作例を示すフローチャートである。
【図６】制御部５による上記判定及び選択のステップ３２及びステップ１５での処理手順を、より詳細に示すフローチャートである。
【図７】本発明による実施の形態４の画像データ受信装置の動作例を示すフローチャートである。
【図８】制御部５による上記判定及び選択のステップ４２及びステップ１５での処理手順を、より詳細に示すフローチャートである。
【図９】本発明による画像データ受信装置を用いた実施の形態５の画像データ通信システムの構成を示すブロック図である。
【符号の説明】
１  画像データ受信装置、  ２  受信部、  ３，５３  通信部、  ４  表示部、  ５  制御部、  ６  通信装置、  ７  放送局、  ５１  通信装置Ａ、  ５２通信装置Ｂ。
【図１】
2004254075.tif 000005
【図２】
2004254075.tif 000006
【図３】
2004254075.tif 000007
【図４】
2004254075.tif 000008
【図５】
2004254075.tif 000009
【図６】
2004254075.tif 000010
【図７】
2004254075.tif 000011
【図８】
2004254075.tif 000012
【図９】
2004254075.tif 000013